(57)【要約】【課題】ＥＧＲバルブ等のようなバルブ装置を従来よりも持ち易くして作業性の向上を図り、ライン上での組立作業や修理工場等でのメンテナンス作業における作業員の負担を軽減する。【解決手段】バタフライ型の弁体１５を傾動自在に抱持してＥＧＲパイプ１１（流路）の一部を成すバルブ本体１６にブラケット１７を介しアクチュエータ１４を組み付け、該アクチュエータ１４と前記弁体１５の傾動軸１８との間をリンク機構１９を介し連結して前記アクチュエータ１４の駆動により前記弁体１５を傾動操作し得るようにしたＥＧＲバルブ１２（バルブ装置）に関し、前記ブラケット１７における装置全体の重心直上付近に位置する上側部分に装置全体を吊り下げ支持するための持ち手２６を設ける。【選択図】図１
2018200070.tif 000002
【特許請求の範囲】
【請求項１】
バタフライ型の弁体を傾動自在に抱持して流路の一部を成すバルブ本体にブラケットを介しアクチュエータを組み付け、該アクチュエータと前記弁体の傾動軸との間をリンク機構を介し連結して前記アクチュエータの駆動により前記弁体を傾動操作し得るようにしたバルブ装置であって、前記ブラケットにおける装置全体の重心直上付近に位置する上側部分に装置全体を吊り下げ支持するための持ち手を設けたことを特徴とするバルブ装置。
【請求項２】
バルブ本体が水平方向から取り込んだ流体を下方向きに屈曲させて送り出すエルボ管状に形成され、該バルブ本体の側面にブラケットを介してアクチュエータが組み付けられ、前記ブラケットの上側部分が前記アクチュエータの組み付け側から装置全体の重心直上付近まで延びる張出片部として形成され、該張出片部の先端で前記バルブ本体の入口側から離間する方向へ張り出すように持ち手が形成されていることを特徴とする請求項１に記載のバルブ装置。
【請求項３】
持ち手の先端側がＴ字形を成すように形成されていると共に、該持ち手の全体が基端側から先端側へ上り勾配を成すように傾斜配置されていることを特徴とする請求項１又は２に記載のバルブ装置。
【請求項４】
バタフライ型の弁体が該弁体の全閉時に縦向きの面を成すようにバルブ本体に抱持されていることを特徴とする請求項１、２又は３に記載のバルブ装置。
【発明の詳細な説明】
【技術分野】
【０００１】
本発明は、バルブ装置に関するものである。
【背景技術】
【０００２】
従来、自動車のエンジン等では、排気側から排気ガスの一部を抜き出して吸気側へと戻し、その吸気側に戻された排気ガスでエンジン内での燃料の燃焼を抑制させて燃焼温度を下げることによりＮＯx（窒素酸化物）の発生を低減するようにした、いわゆる排気ガス再循環（ＥＧＲ：Exhaust Gas Recirculation）が行われている。
【０００３】
一般的に、この種の排気ガス再循環を行う場合には、排気マニホールドから排気管に亘る排気通路の適宜位置と、吸気管から吸気マニホールドに亘る吸気通路の適宜位置との間をＥＧＲパイプにより接続し、該ＥＧＲパイプを通して排気ガスを再循環するようにしている。
【０００４】
尚、エンジンに再循環する排気ガスをＥＧＲパイプの途中で冷却すると、排気ガスの温度が下がり且つその容積が小さくなることにより、エンジンの出力を余り低下させずに燃焼温度を低下して効果的にＮＯxの発生を低減させることができるため、エンジンに排気ガスを再循環するＥＧＲパイプの途中に水冷式のＥＧＲクーラを装備したものもある。
【０００５】
図４は前述した排気ガス再循環を行うためのＥＧＲ装置の一例を示すもので、図中１はディーゼル機関であるエンジンを示し、該エンジン１は、ターボチャージャ２を備えており、エアクリーナ３から導いた吸気４を吸気管５を通し前記ターボチャージャ２のコンプレッサ２ａへ送り、該コンプレッサ２ａで加圧された吸気４をインタークーラ６へと送って冷却し、該インタークーラ６から更に吸気マニホールド７へと吸気４を導いてエンジン１の各気筒に分配するようにしてある。
【０００６】
また、このエンジン１の各気筒から排出された排気ガス８を排気マニホールド９を介して前記ターボチャージャ２のタービン２ｂへと送り、該タービン２ｂを駆動した排気ガス８を排気管１０を介して車外へ排出するようにしてある。
【０００７】
そして、排気マニホールド９における各気筒の並び方向の一端部と、吸気マニホールド７に接続されている吸気管５の一端部との間がＥＧＲパイプ１１により接続され、該ＥＧＲパイプ１１を通して排気ガス８の一部がエンジン１に再循環されるようにしてあり、前記ＥＧＲパイプ１１の途中には、該ＥＧＲパイプ１１を適宜に開閉するＥＧＲバルブ１２と、再循環される排気ガス８を冷却するためのＥＧＲクーラ１３とが装備されている。
【０００８】
尚、この種のＥＧＲ装置に関連する先行技術文献情報としては下記の特許文献１等がある。
【先行技術文献】
【特許文献】
【０００９】
【特許文献１】特開２０１２−１２２３３９号公報
【発明の概要】
【発明が解決しようとする課題】
【００１０】
しかしながら、このようなＥＧＲ装置に採用されている一般的なＥＧＲバルブ１２にあっては、バタフライ型の弁体を傾動自在に抱持してＥＧＲパイプ１１の一部を成すバルブ本体と、前記弁体を傾動操作するアクチュエータとをブラケットを介し組み付けたアッセンブリとし、これをＥＧＲパイプ１１の途中に取り付けたり取り外したりするようにしているが、バルブ本体とアクチュエータとが何れも重量物であることから全体重量が嵩み、しかも、バルブ本体におけるＥＧＲパイプ１１への継手部分や、アクチュエータと弁体の傾動軸との間を繋いでいる精密なリンク機構を避けて把持しなければならないため、作業員がＥＧＲバルブ１２を持ち難いという課題があり、ライン上での組立作業や修理工場等でのメンテナンス作業における作業員の負担が大きいという問題があった。
【００１１】
即ち、特にＥＧＲバルブ１２の場合には、排気ガス８中に含まれる腐蝕成分への耐蝕対策が求められるため、バルブ本体が材質的にも重く且つ肉厚にもなって重量物となり易く、また、単純なＥＧＲパイプ１１の開閉だけでなく弁体による細かな開度調整が求められるため、そのような細かな開度調整に対応し得る高性能なアクチュエータが重量物となり易いという事情がある。
【００１２】
本発明は上述の実情に鑑みてなしたもので、ＥＧＲバルブ等のようなバルブ装置を従来よりも持ち易くして作業性の向上を図り、ライン上での組立作業や修理工場等でのメンテナンス作業における作業員の負担を軽減することを目的とする。
【課題を解決するための手段】
【００１３】
本発明は、バタフライ型の弁体を傾動自在に抱持して流路の一部を成すバルブ本体にブラケットを介しアクチュエータを組み付け、該アクチュエータと前記弁体の傾動軸との間をリンク機構を介し連結して前記アクチュエータの駆動により前記弁体を傾動操作し得るようにしたバルブ装置であって、前記ブラケットにおける装置全体の重心直上付近に位置する上側部分に装置全体を吊り下げ支持するための持ち手を設けたことを特徴とするものである。
【００１４】
而して、このようにすれば、ブラケットの上側部分に設けられた持ち手を把持することでバルブ装置を容易に吊り下げ支持することが可能となると共に、前記持ち手が装置全体の重心直上付近に位置していることでバルブ装置を安定して組み付け姿勢のまま保持することが可能となり、流路の途中にバルブ装置を取り付けたり取り外したりする際における作業性を大幅に向上することが可能となる。
【００１５】
また、バルブ本体における流路の継手部分や精密なリンク機構を確実に避けてバルブ装置を吊り下げ支持することが可能となるので、流路の接続作業中における指挟み等の虞れが少なくなると共に、精密なリンク機構に無理な荷重がかかって損傷を招くような自体が未然に回避される。
【００１６】
また、本発明をより具体的に実施するにあたっては、バルブ本体が水平方向から取り込んだ流体を下方向きに屈曲させて送り出すエルボ管状に形成され、該バルブ本体の側面にブラケットを介してアクチュエータが組み付けられ、前記ブラケットの上側部分が前記アクチュエータの組み付け側から装置全体の重心直上付近まで延びる張出片部として形成され、該張出片部の先端で前記バルブ本体の入口側から離間する方向へ張り出すように持ち手が形成されていると良い。
【００１７】
更に、持ち手の先端側がＴ字形を成すように形成されていると共に、該持ち手の全体が基端側から先端側へ上り勾配を成すように傾斜配置されていることが好ましく、このようにすれば、持ち手に人差し指や中指を引っ掛け易くなって把持が容易になる上、持ち手の上方への張り出し量を抑えつつ該持ち手の下方に指が回り込む空間を確保し易くなる。
【００１８】
また、本発明においては、バタフライ型の弁体が該弁体の全閉時に縦向きの面を成すようにバルブ本体に抱持されていることが好ましく、このようにすれば、全閉時に弁体上に異物や凝縮水が留まらなくなって軸部への異物の噛み込みや腐蝕の発生を防止し易くなる。
【発明の効果】
【００１９】
上記した本発明のバルブ装置によれば、下記の如き種々の優れた効果を奏し得る。
【００２０】
（Ｉ）本発明の請求項１、２に記載の発明によれば、バルブ装置を従来よりも持ち易くして作業性の大幅な向上を図ることができるので、ライン上での組立作業や修理工場等でのメンテナンス作業における作業員の負担を著しく軽減することができ、しかも、バルブ本体における流路の継手部分や精密なリンク機構を確実に避けてバルブ装置を吊り下げ支持することができるので、流路の接続作業中における指挟み等を防止して保安性を著しく向上することができ、更には、精密なリンク機構に無理な荷重がかからないようにして該リンク機構を確実に保護することもできる。
【００２１】
（ＩＩ）本発明の請求項３に記載の発明によれば、持ち手に人差し指や中指を引っ掛け易くすることができると共に、持ち手の上方への張り出し量を抑えつつ該持ち手の下方に指が回り込む空間を確保し易くすることもできるので、前記持ち手をより一層把持し易くすることができ、しかも、持ち手の上方への張り出しによる周辺構造物との干渉も回避し易くすることができる。
【００２２】
（ＩＩＩ）本発明の請求項４に記載の発明によれば、バタフライ型の弁体が全閉時に縦向きの面を成すようになっているので、全閉時に弁体上に異物や凝縮水が留まらないようにして軸部への異物の噛み込みや腐蝕の発生を防止し易くすることができ、バルブ装置の健全性を長期にわたり維持することができる。
【図面の簡単な説明】
【００２３】
【図１】本発明を実施する形態の一例を示す斜視図である。
【図２】図１のブラケットの単品図である。
【図３】図２のブラケットの上面図である。
【図４】一般的なＥＧＲ装置について説明する概略図である。
【発明を実施するための形態】
【００２４】
以下、本発明の実施の形態を図面を参照しつつ説明する。
【００２５】
図１は本発明を実施する形態の一例を示すもので、本形態例においては、先に図４で説明したＥＧＲ装置に用いられているＥＧＲバルブ１２をバルブ装置の一例として以下に説明しており、図１に示しているＥＧＲバルブ１２は、バタフライ型の弁体１５を傾動自在に抱持してＥＧＲパイプ１１（流路）の一部を成すバルブ本体１６にブラケット１７を介しアクチュエータ１４を組み付け、該アクチュエータ１４と前記弁体１５の傾動軸１８との間をリンク機構１９を介し連結して前記アクチュエータ１４の駆動により前記弁体１５を傾動操作し得るように構成されている。
【００２６】
ここで、前記バルブ本体１６は、水平方向から取り込んだ排気ガス８を下方向きに屈曲させて送り出すエルボ管状に形成されており、その上流側の端部には、縦向きのプレート型ハウジング２０が一体的に形成され、該プレート型ハウジング２０内に前記バタフライ型の弁体１５が水平方向の傾動軸１８を中心に傾動自在に抱持されており、このバタフライ型の弁体１５が全閉時に縦向きの面を成すようになっている。
【００２７】
一方、前記アクチュエータ１４は、前記バルブ本体１６の側面にブラケット１７を介して組み付けられ、その側方に突き出た駆動軸２１に装着されているレバー２２と、前記プレート型ハウジング２０の側方に突き出た傾動軸１８の突出端に装着されているレバー２３との間がリンクロッド２４によりリンク連結されており、これら二つのレバー２２，２３とリンクロッド２４とにより前記リンク機構１９が構成されている。
【００２８】
更に、前記ブラケット１７は、図２に単品図で示す如き形状となっており、前記バルブ本体１６側と前記アクチュエータ１４側の両方にボルト締結されて両者を組み付けるようにしてあり、前記ブラケット１７の上側部分が前記アクチュエータ１４の組み付け側から装置全体の重心直上付近まで延びる張出片部２５として形成され、該張出片部２５の先端で前記バルブ本体１６の入口側から離間する方向へ張り出すように持ち手２６が形成されている。
【００２９】
ここで、前記持ち手２６の先端側がＴ字形（図３のブラケット１７の上面図を参照）を成すように形成され、該持ち手２６に人差し指や中指を引っ掛け易くしてあると共に、前記持ち手２６の全体が基端側から先端側へ上り勾配を成すように傾斜配置され、該持ち手２６の上方への張り出し量を抑えつつ前記持ち手２６の下方に指が回り込む空間を確保し易くしてある。
【００３０】
また、前記持ち手２６のＴ字形の先端は、アクチュエータ１４側へ張り出した突起部２６ａが反対側の突起部２６ｂよりも若干高くなるように段違いにした非対称形状としてあり、張出片部２５が邪魔になるアクチュエータ１４側の突起部２６ａの下方にも十分な指の回り込み空間が確保できるようにしてある。
【００３１】
尚、前記張出片部２５の先端における持ち手２６と反対側には、前記張出片部２５の先端を前記プレート型ハウジング２０の上部と連結する連結片部２７が形成されており、前記持ち手２６を把持してＥＧＲバルブ１２を吊り下げ支持した際にかかる荷重が分担されるようにしてある。
【００３２】
而して、このようにＥＧＲバルブ１２を構成すれば、ブラケット１７の上側部分に設けられた持ち手２６を把持することでＥＧＲバルブ１２を容易に吊り下げ支持することが可能となると共に、前記持ち手２６が装置全体の重心直上付近に位置していることでＥＧＲバルブ１２を安定して組み付け姿勢のまま保持することが可能となり、ＥＧＲパイプ１１の途中にＥＧＲバルブ１２を取り付けたり取り外したりする際における作業性を大幅に向上することが可能となる。
【００３３】
また、バルブ本体１６におけるＥＧＲパイプ１１への継手部分や精密なリンク機構１９を確実に避けてＥＧＲバルブ１２を吊り下げ支持することが可能となるので、ＥＧＲパイプ１１への接続作業中における指挟み等の虞れが少なくなると共に、精密なリンク機構１９に無理な荷重がかかって損傷を招くような自体が未然に回避される。
【００３４】
更に、持ち手２６の先端側がＴ字形を成すように形成されていると共に、該持ち手２６の全体が基端側から先端側へ上り勾配を成すように傾斜配置されているので、持ち手２６に人差し指や中指を引っ掛け易くなって把持が容易になる上、持ち手２６の上方への張り出し量を抑えつつ前記持ち手２６の下方に指が回り込む空間を確保し易くなる。
【００３５】
また、特に本形態例にあっては、バタフライ型の弁体１５が該弁体１５の全閉時に縦向きの面を成すようにバルブ本体１６に抱持されているので、全閉時に弁体１５上に異物や凝縮水が留まらなくなって軸部への異物の噛み込みや腐蝕の発生を防止し易くなる。
【００３６】
従って、上記形態例によれば、ＥＧＲバルブ１２を従来よりも持ち易くして作業性の大幅な向上を図ることができるので、ライン上での組立作業や修理工場等でのメンテナンス作業における作業員の負担を著しく軽減することができ、しかも、バルブ本体１６におけるＥＧＲパイプ１１への継手部分や精密なリンク機構１９を確実に避けてＥＧＲバルブ１２を吊り下げ支持することができるので、ＥＧＲパイプ１１への接続作業中における指挟み等を防止して保安性を著しく向上することができ、更には、精密なリンク機構１９に無理な荷重がかからないようにして該リンク機構１９を確実に保護することもできる。
【００３７】
また、持ち手２６に人差し指や中指を引っ掛け易くすることができると共に、持ち手２６の上方への張り出し量を抑えつつ該持ち手２６の下方に指が回り込む空間を確保し易くすることもできるので、前記持ち手２６をより一層把持し易くすることができ、しかも、持ち手２６の上方への張り出しによる周辺構造物との干渉も回避し易くすることができる。
【００３８】
更に、バタフライ型の弁体１５が全閉時に縦向きの面を成すようになっているので、全閉時に弁体１５上に異物や凝縮水が留まらないようにして軸部への異物の噛み込みや腐蝕の発生を防止し易くすることができ、ＥＧＲバルブ１２の健全性を長期にわたり維持することができる。
【００３９】
尚、本発明のバルブ装置は、上述の形態例にのみ限定されるものではなく、図示ではＥＧＲバルブの場合で例示しているが、排気ブレーキ等として採用するものであっても良いこと、その他、本発明の要旨を逸脱しない範囲内において種々変更を加え得ることは勿論である。
【符号の説明】
【００４０】
１１    ＥＧＲパイプ（流路）
１２    ＥＧＲバルブ（バルブ装置）
１４    アクチュエータ
１５    弁体
１６    バルブ本体
１７    ブラケット
１８    傾動軸
１９    リンク機構
２５    張出片部
２６    持ち手
【図１】
2018200070.tif 000003
【図２】
2018200070.tif 000004
【図３】
2018200070.tif 000005
【図４】
2018200070.tif 000006